(57)【要約】【課題】ビューファインダを引き出し方向にスライド可能かつ引き出し状態で回動可能に支持する支持機構の部品点数の削減及び構造の簡略化を実現するとともに、撮像装置の小型化を図る仕組みを提供する。【解決手段】支持機構３０は、装置本体に固定されるベース部材３１と、ビューファインダを保持してベース部材３１に対してビューファインダとともに引き出し方向にスライド可能かつ引き出し状態で回動可能に支持される保持部材３２とを有する。ベース部材３１には、引き出し方向に沿って延びる直進レール３１１ａ，３１２ａと、直進レール３１１ａ，３１２ａから一方向に円弧状に延びる円弧レール３１１ｂ，３１２ｂがそれぞれ設けられ、保持部材３２には、直進レール３１１ａ，３１２ａに沿って摺動可能な複数の支持軸３３〜３６がそれぞれ連結される。保持部材３２の回動動作の際に、支持軸３４，３６が支持軸３３，３５を中心として円弧レール３１１ｂ，３１２ｂに沿って移動する。【選択図】図３
2014202811.tif 000002
【特許請求の範囲】
【請求項１】
レンズ部を有する装置本体と、
前記レンズ部を通じて被写体の画像を確認するためのビューファインダと、
前記ビューファインダを前記装置本体に対して引き出し方向にスライド可能かつ引き出し状態で回動可能に支持する支持機構と、を備え、
前記支持機構は、
前記装置本体に固定され、幅方向の両側に側壁部を有するベース部材と、
前記ビューファインダを保持して前記ベース部材の前記両側の側壁部の内側に配置され、幅方向の両側に前記ベース部材の前記側壁部に対向する側壁部を有して前記ベース部材に対して前記ビューファインダとともに前記引き出し方向にスライド可能かつ引き出し状態で回動可能に支持される保持部材と、を有し、
前記ベース部材の前記両側の側壁部には、前記引き出し方向に沿って延びる直進レールと、前記直進レールから少なくとも一方向に円弧状に延びる円弧レールがそれぞれ設けられ、
前記保持部材の前記両側の側壁部には、前記直進レールに沿って摺動可能な複数の支持軸がそれぞれ連結され、
前記保持部材の回動動作の際に、前記複数の支持軸のうちの少なくとも１つの支持軸が他の支持軸を中心として前記円弧レールに沿って移動することを特徴とする撮像装置。
【請求項２】
前記ビューファインダには、回動状態で所定以上の力が加わった場合に、前記装置本体の外観カバーの一部が収容されて前記ビューファインダの所定以上の回動を規制する凹部が設けられていることを特徴とする請求項１に記載の撮像装置。
【請求項３】
前記ベース部材と前記保持部材との間には、前記装置本体に対する前記ビューファインダの収納状態、引き出し状態、及び回動状態のそれぞれでクリックストップ感を得るためのクリックストップ機構が設けられていることを特徴とする請求項１又は２に記載の撮像装置。
【請求項４】
前記クリックストップ機構は、前記ベース部材の底壁部に設けられ、突出部を有するばね部と、前記保持部材に設けられた第１被係合部、前記ベース部材に設けられた第２被係合部、及び第３被係合部とを有し、
前記第１被係合部には、前記収納状態で前記突出部が弾性的に係脱可能に係合し、前記第２被係合部には、前記引き出し状態で前記突出部が弾性的に係脱可能に係合し、前記第３被係合部には、前記回動状態で前記突出部が弾性的に係脱可能に係合することを特徴とする請求項３に記載の撮像装置。
【請求項５】
前記ばね部は、前記保持部材の引き出し動作の際に、前記保持部材の底壁部に前記突出部が当接して前記保持部材を上方に付勢することを特徴とする請求項４に記載の撮像装置。
【請求項６】
前記ベース部材の底壁部には、前記保持部材の引き出し動作の際に、前記保持部材の底壁部に当接して前記保持部材を上方に付勢するばね部が設けられることを特徴とする請求項１乃至３のいずれか１項に記載の撮像装置。
【請求項７】
前記ベース部材の両側壁部の各上側部には、前記装置本体に位置決め固定される位置決め部がそれぞれ形成されていることを特徴とする請求項１乃至６のいずれか１項に記載の撮像装置。
【発明の詳細な説明】
【技術分野】
【０００１】
本発明は、例えばデジタルカメラやデジタルビデオカメラ等の撮像装置に関し、特にビューファインダをスライド可能かつ回動可能に支持する支持機構を備える撮像装置に関する。
【背景技術】
【０００２】
図１４は、従来のデジタルビデオカメラの一例を示す図である。このデジタルビデオカメラは、図１４（ａ）に示すように、カメラ本体１０５の背面側（図の右側）上部にビューファインダ１３が収納されている。ビューファインダ１３は、図１４（ｂ）に示すように、カメラ本体１０５からスライドさせて引き出すことができ、また、引き出した状態で、図１４（ｃ）に示すように、上下方向に回動させることができる。これにより、ビューファインダ１３を所望の位置に移動させて使用することが可能となる。また、カメラ本体１０５のビューファインダ１３の収納位置より被写体側の上部には、アクセサリ類を取り付ける取付部１０７が設けられている。
【０００３】
このように、ビューファインダ１３を引き出し方向にスライド可能かつ引き出し状態で回動可能に支持する従来の支持機構としては、例えば、図１５に示すものが提案されている（特許文献１）。図１５（ａ）は支持機構の斜視図、図１５（ｂ）は図１５（ａ）の分解斜視図である。
【０００４】
図１５に示す支持機構は、カメラ本体１０５に固定されるベース部材２１、ベース部材２１の内側に配置される摺動部材２２、摺動部材２２の内側に配置される摺動部材２３、及び一対の板ばね部材２４ｆ，２４ｒを備える。摺動部材２２には、ビューファインダ１３が取り付けられる。
【０００５】
板ばね部材２４ｆ，２４ｒは、摺動部材２２の幅方向両側に形成された凹部に取り付けられ、ベース部材２１に対して摺動軸２５ａ〜２５ｄを介して摺動可能に支持される。これにより、摺動部材２２，２３がベース部材２１に対して矢印Ｈ方向に摺動可能になり、結果としてビューファインダ１３が同方向にスライド可能となる。
【０００６】
また、板ばね部材２４ｆ，２４ｒの突起部がベース部材２１に所定の間隔をもって形成された孔２１ｎ，２１ｐ，２１ｑ，２１ｓ，２１ｖ，２１ｗに弾性的に係合する。これにより、ビューファインダ１３を矢印Ｈ方向にスライド操作する際にクリックストップ感を得ることができる。また、ビューファインダ１３は、摺動部材２２の図中右側に形成された孔２２ｈ，２２ｊに回転軸２５ｈ，２５ｊを介して取り付けられており、これにより、摺動部材２２に対してビューファインダ１３が矢印Ｒ方向に回動可能となる。
【先行技術文献】
【特許文献】
【０００７】
【特許文献１】特開２０００−１８８７０４号公報
【発明の概要】
【発明が解決しようとする課題】
【０００８】
しかし、上記従来技術では、ビューファインダ１３の支持機構に、ベース部材２１、摺動部材２２，２３、及びスライド方向のクリックストップ感を得るための板ばね部材２４ｆ，２４ｒが必要になるため、部品点数が多く、構造も複雑になる。また、ビューファインダ１３の回動方向にもクリックストップ感を得たい場合は、更に回転部材やばね部材が必要となり、部品点数が更に増えることになる。
【０００９】
また、ベース部材２１に対して摺動レール部を上下に設けなければならず、しかもクリックストップ感を得るための穴の配置も摺動レール部を避けた位置に配置しなければならないため、ベース部材２１が上下方向に大きくなってしまう。このため、カメラの大型化を招く原因となる。
【００１０】
そこで、本発明は、ビューファインダを引き出し方向にスライド可能かつ引き出し状態で回動可能に支持する支持機構の部品点数の削減及び構造の簡略化を実現するとともに、撮像装置の小型化を図る仕組みを提供することを目的とする。
【課題を解決するための手段】
【００１１】
上記目的を達成するために、本発明の撮像装置は、レンズ部を有する装置本体と、前記レンズ部を通じて被写体の画像を確認するためのビューファインダと、前記ビューファインダを前記装置本体に対して引き出し方向にスライド可能かつ引き出し状態で回動可能に支持する支持機構と、を備え、前記支持機構は、前記装置本体に固定され、幅方向の両側に側壁部を有するベース部材と、前記ビューファインダを保持して前記ベース部材の前記両側の側壁部の内側に配置され、幅方向の両側に前記ベース部材の前記側壁部に対向する側壁部を有して前記ベース部材に対して前記ビューファインダとともに前記引き出し方向にスライド可能かつ引き出し状態で回動可能に支持される保持部材と、を有し、前記ベース部材の前記両側の側壁部には、前記引き出し方向に沿って延びる直進レールと、前記直進レールから少なくとも一方向に円弧状に延びる円弧レールがそれぞれ設けられ、前記保持部材の前記両側の側壁部には、前記直進レールに沿って摺動可能な複数の支持軸がそれぞれ連結され、前記保持部材の回動動作の際に、前記複数の支持軸のうちの少なくとも１つの支持軸が他の支持軸を中心として前記円弧レールに沿って移動する、ことを特徴とする。
【発明の効果】
【００１２】
本発明によれば、ビューファインダを引き出し方向にスライド可能かつ引き出し状態で回動可能に支持する支持機構の部品点数の削減及び構造の簡略化を実現するとともに、撮像装置の小型化を図ることができる。
【図面の簡単な説明】
【００１３】
【図１】本発明の撮像装置の第１の実施形態であるデジタルビデオカメラを背面側から見た斜視図である。
【図２】ビューファインダユニットの斜視図である。
【図３】ビューファインダを引き出し方向にスライド可能かつ引き出し状態で回動可能に支持する支持機構の斜視図である。
【図４】（ａ）は、ベースプレートの斜視図である。（ｂ）は、ホルダの斜視図である。
【図５】（ａ）は、ベースプレートにホルダが収納された状態を示す図である。（ｂ）は、ベースプレートからホルダが引き出された状態を示す図である。（ｃ）は、ベースプレートに対してホルダが上方に回動した状態を示す図である。
【図６】（ａ）は、ホルダの収納状態と引き出し状態との間の状態を示す図である。（ｂ）は、（ａ）の状態での図３の中心線Ａに沿う断面図である。
【図７】（ａ）は、カメラ本体にビューファインダが収納された状態を示す要部断面図である。（ｂ）は、カメラ本体からビューファインダが引き出された状態を示す要部断面図である。
【図８】カメラ本体に対してビューファインダが上方に回動した状態を示す要部断面図である。
【図９】（ａ）は、本発明の撮像装置の第２の実施形態であるデジタルビデオカメラに搭載される支持機構のベースプレートからホルダを引き出した状態を示す図である。（ｂ）は、（ａ）の状態からホルダを回動させた状態を示す図である。
【図１０】（ａ）は、本発明の撮像装置の第３の実施形態であるデジタルビデオカメラに搭載される支持機構のベースプレートからホルダを引き出した状態を示す図である。（ｂ）は、（ａ）の状態からホルダを回動させた状態を示す図である。
【図１１】（ａ）は、本発明の撮像装置の第４の実施形態であるデジタルビデオカメラに搭載される支持機構のベースプレートからホルダを引き出した状態を示す図である。（ｂ）は、（ａ）の状態からホルダを回動させた状態を示す図である。
【図１２】（ａ）は、本発明の撮像装置の第５の実施形態であるデジタルビデオカメラに搭載される支持機構の斜視図である。（ｂ）は、（ａ）の支持機構を構成するホルダの斜視図である。
【図１３】（ａ）は、ベースプレートにホルダが収納された状態を示す図である。（ｂ）は、ベースプレートからホルダが引き出された状態を示す図である。（ｃ）は、ベースプレートに対してホルダが上方に回動した状態を示す図である。
【図１４】従来のビューファインダ支持機構を搭載したデジタルビデオカメラの一例を示す図である。
【図１５】（ａ）は、従来のビューファインダ支持機構の斜視図である。（ｂ）は、（ａ）の分解斜視図である。
【発明を実施するための形態】
【００１４】
以下、本発明の実施形態を図面を参照して説明する。
【００１５】
（第１の実施形態）
図１は、本発明の撮像装置の第１の実施形態であるデジタルビデオカメラを背面側から見た斜視図である。図２は、ビューファインダユニットの斜視図である。
【００１６】
本実施形態のデジタルビデオカメラは、図１に示すように、カメラ本体１の背面側にビューファインダ４０が設けられ、ビューファインダ４０の下方には、バッテリ４が着脱可能に設けられている。
【００１７】
ビューファインダ４０は、カメラ本体１の正面側に配置されるレンズ部１ａを通じて被写体の画像を確認するための装置である。本実施形態では、ビューファインダ４０と、ビューファインダ４０をカメラ本体１に対して引き出し方向にスライド可能かつ引き出し状態で回動可能に支持する支持機構３０（図２参照）とによってビューファインダユニット３を構成している。なお、図１及び２では、カメラ本体１からビューファインダ４０が引き出された状態を示している。ここで、カメラ本体１は、本発明の装置本体の一例に相当する。
【００１８】
また、カメラ本体１の上面部には、ハンドル２が固定されている。ハンドル２は、カメラ本体１の背面側上部に設けられた接続部５にねじ６ａ，６ｂを介して固定されることにより、カメラ本体１と電気的に接続される。
【００１９】
図３は、ビューファインダ４０をカメラ本体１に対して引き出し方向にスライド可能かつ引き出し状態で回動可能に支持する支持機構３０の斜視図である。図３に示すように、支持機構３０は、カメラ本体１に固定されるベースプレート３１、ビューファインダ４０が取り付けられるホルダ３２、及びベースプレート３１に対してホルダ３２をスライド可能、かつ回動可能に支持する複数の支持軸３３〜３６を有する。ここで、ベースプレート３１は、本発明のベース部材の一例に相当し、ホルダ３２は、本発明の保持部材の一例に相当する。
【００２０】
支持軸３３〜３６は、例えば金属製のカシメピンを用い、ホルダ３２に加締められてベースプレート３１に対して摺動可能に連結される。支持軸３５，３６と支持軸３３，３４とは、支持機構３０の幅方向の中心線Ａに対して左右対称に配置されている。ここで、本実施形態では、左右方向は、カメラ本体１の背面側から見た場合の左右方向とする。
【００２１】
図４（ａ）は、ベースプレート３１の斜視図である。図４（ａ）に示すように、ベースプレート３１は、断面略コ字形状をなしており、底壁部におけるビューファインダ４０の引き出し方向の先端側の幅方向中央部には、上方に突出する突出部３１０ａを先端に有する板ばね部３１０が形成されている。ベースプレート３１の幅方向の左右両側の側壁部には、それぞれ摺動レール部３１２、及び摺動レール部３１１が形成されている。
【００２２】
摺動レール部３１２は、ホルダ３２のスライド方向（引き出し方向）に直線状に延びる直進レール３１２ａと、直進レール３１２ａの先端側（図の左端側）で下方に円弧状に分岐する円弧レール３１２ｂとを有する。摺動レール部３１１も同様に、ホルダ３２のスライド方向に直線状に延びる直進レール３１１ａと、直進レール３１１ａの先端側（図の左端側）で下方に円弧状に分岐する円弧レール３１１ｂとを有する。
【００２３】
また、ベースプレート３１の左側壁部には、クリック穴３１３，３１４が形成されるとともに、ホルダ３２の摺動時にホルダ３２と接する接触部３１５が形成されている。ベースプレート３１の左側壁部、及び右側壁部の各上側部には、カメラ本体１に位置決め固定される位置決めボス３１６ａ、及び位置決めボス３１６ｂがそれぞれ形成されている。
【００２４】
図４（ｂ）は、ホルダ３２の斜視図である。図４（ｂ）に示すように、ホルダ３２は、断面略コ字形状をなして、ベースプレート３１の内側に配置され、底壁部の幅方向中央には、幅方向に長い穴３２０が形成されている。ホルダ３２がベースプレート３１に収納される時に、穴３２０にベースプレート３１の突出部３１０ａが弾性的に係脱可能に係合することで、クリックストップ感を得ることができる。
【００２５】
また、ホルダ３２の左側壁部のスライド方向（引き出し方向）後端部には、幅方向外方に突出する凸部３２１ａを有する板ばね部３２１が形成され、ホルダ３２の右側壁部のスライド方向後端部には、幅方向外方に突出する凸部３２２が形成されている。凸部３２１ａ及び凸部３２２は、ホルダ３２の中心線Ａに対して左右対称の位置に配置される。加締め座３２３〜３２６は、支持軸３３〜３６が加締められる座である。なお、本実施形態では、凸部３２１ａ側に板ばね部３２１を設けているが、凸部３２２側に板ばね部を設けてもよく、また、凸部３２１ａ側及び凸部３２２側の両方に板ばね部を設けてもよい。
【００２６】
支持軸３３，３４は、ベースプレート３１の摺動レール部３１１を挟んでホルダ３２の加締め座３２３，３２４に加締められ、支持軸３５，３６は、ベースプレート３１の摺動レール部３１２を挟んでホルダ３２の加締め座３２５，３２６に加締められる。これにより、ホルダ３２と支持軸３３〜３６は、ベースプレート３１の摺動レール部３１１，３１２に沿って摺動可能に支持される。
【００２７】
図５（ａ）は、ベースプレート３１にホルダ３２が収納された状態（以下、ホルダ３２の収納状態という。）を示す図である。図５（ｂ）は、ベースプレート３１からホルダ３２が引き出された状態（以下、ホルダ３２の引き出し状態という。）を示す図である。図５（ｃ）は、ベースプレート３１に対してホルダ３２が上方に回動した状態（以下、ホルダ３２の回動状態という。）を示す図である。なお、図５では、図中右方向がホルダ３２の引き出し方向となる。
【００２８】
図５に示すように、ホルダ３２の収納状態から引き出し状態までは、支持軸３５，３６は、ベースプレート３１の直進レール３１２ａに沿って引き出し方向に移動する。そして、ホルダ３２の引き出し状態では、支持軸３５は、直進レール３１２ａの端部に位置し、支持軸３６は、円弧レール３１２ｂへの分岐点に位置している。
【００２９】
ホルダ３２の収納状態では、ホルダ３２は、図５（ａ）の破線で示すように、突出部３１０ａが穴３２０に弾性的に係脱可能に係合することでクリックストップ感が得られるようになっている。ホルダ３２の引き出し状態では、ホルダ３２は、図５（ｂ）に示すように、ホルダ３２の凸部３２１ａが穴３１３に弾性的に係脱可能に係合することでクリックストップ感が得られるようになっている。
【００３０】
また、ホルダ３２の引き出し状態から回動状態までは、支持軸３５を中心として、支持軸３６がベースプレート３１の円弧レール３１２ｂに沿って端部まで移動する。このとき、ベースプレート３１に形成された穴３１４にホルダ３２の凸部３２１ａが弾性的に係脱可能に係合し、これにより、クリックストップ感が得られるようになっている。ここで、突出部３１０ａと穴３２０、及び穴３１３，３１４と凸部３２１ａは、本発明のクリックストップ機構の一例に相当する。
【００３１】
図６（ａ）は、ホルダ３２の収納状態と引き出し状態との間の状態を示す図である。図６（ｂ）は、図６（ａ）の状態での図３の中心線Ａに沿う断面図である。
【００３２】
図６に示すように、ホルダ３２と支持軸３３〜３６が収納状態から引き出し状態へと移動する際、ベースプレート３１に形成された突出部３１０ａは、ホルダ３２の底壁部に当接し、ホルダ３２は、板ばね部３１０によって上方に付勢されている。
【００３３】
これにより、ホルダ３２のスライド方向の図の右側の支持軸３５（３３）がベースプレート３１の円弧レール３１２ｂ（３１１ｂ）の分岐位置に移動してきた状態でも、支持軸３５（３３）が円弧レール３１２ｂ（３１１ｂ）へ落ち込むことが回避される。したがって、支持軸３５（３３）は、直進レール３１２ａ（３１１ａ）に沿ってレール端まで移動することが可能となる。また、摺動レール部３１１が形成された側壁部（図４（ａ）の右側壁部）には、ホルダ３２の凸部３２２が常に当接して、ホルダ３２が幅方向に位置決めされる。
【００３４】
図７（ａ）は、カメラ本体１にビューファインダ４０が収納された状態を示す要部断面図である。図７（ｂ）は、カメラ本体１からビューファインダ４０が引き出された状態を示す要部断面図である。図８は、カメラ本体１に対してビューファインダ４０が上方に回動した状態を示す要部断面図である。
【００３５】
図７（ａ）に示すように、ビューファインダ４０の内部には、レンズユニット４１、表示パネルユニット４２、及びＣＶＦ基板４３が設けられる。ＣＶＦ基板４３は、カメラ本体１の画像信号を表示パネルユニット４２に表示させるための信号に変換する。ＣＶＦ基板４３と表示パネルユニット４２とは、フレキシブルプリント基板４４を介して電気的に接続される。
【００３６】
また、ＣＶＦ基板４３は、ビューファインダ４０の引き出し方向に沿って配置され、その基板面がビューファインダ４０の上下の壁面部に対して平行に対向配置されている。ビューファインダ４０の上壁面部には、ＣＶＦ基板４３に接近する方向に窪む凹部４００が形成されている。カメラ本体１のビューファインダ４０の収納スペースの真上には、外観カバー５００が配置され、外観カバー５００の上にハンドル２が固定される接続部５が配置されている。
【００３７】
そして、ビューファインダ４０が図７（ｂ）に示す引き出し状態から、図８に示すように、上方に回動すると、ビューファインダ４０に形成された凹部４００に外観カバー５００の一部である縁部５００ａが収容される。すなわち、凹部４００が外観カバー５００の縁部５００ａに対して逃げ部となる。
【００３８】
更に、図８に示すビューファインダ４０の回動状態では、図５（ｃ）に示すように、ベースプレート３１の穴３１４にホルダ３２の凸部３２１ａが弾性的に係脱可能に係合して位置決めされている。この状態で、例えば図８に示す矢印Ｂの様にビューファインダ４０が上方に押された際は、ビューファインダ４０の凹部４００が外観カバー５００の縁部５００ａに当接し、それ以上の回動が規制される。
【００３９】
以上説明したように、本実施形態では、ベースプレート３１、ホルダ３２、及び支持軸３３〜３６により、ビューファインダ４０をスライド可能かつ回動可能に支持するとともに、収納時及び回動時にクリックストップ感が得られる支持機構３０を構成している。これにより、支持機構３０の部品点数の削減及び構造の簡略化を実現することができ、コストダウンを図ることができる。
【００４０】
また、本実施形態では、カメラ本体１の外観カバー５００の縁部５００ａに対応する逃げ用の凹部４００をビューファインダ４０の上壁面部に形成し、ビューファインダ４０の回動状態で凹部４００に外観カバー５００の縁部５００ａが収容されるようにしている。この凹部４００を設けたことにより、ビューファインダ４０の回動範囲にカメラ本体１の構成部品を配置可能となるため、ビューファインダ４０の真上にハンドル２やアクセサリ類の接続部５を配置することできる。これにより、スペースを有効活用してデジタルビデオカメラの小型化を図ることができる。
【００４１】
（第２の実施形態）
次に、図９を参照して、本発明の撮像装置の第２の実施形態であるデジタルビデオカメラについて説明する。なお、本実施形態では、上記第１の実施形態と支持機構が相違するだけであるため、上記第１の実施形態に対して重複又は相当する部分については図に同一符号を付して支持機構についてのみ説明する。図９（ａ）は、支持機構７０のベースプレート３１からホルダ３２を引き出した状態を示す図である。図９（ｂ）は、ホルダ３２を回動させた状態を示す図である。
【００４２】
上記第１の実施形態では、支持機構３０のベースプレート３１に形成した摺動レール部３１１，３１２を、直進レール３１１ａ，３１２ａと、直進レール３１１ａ，３１２ａの途中から下方に円弧状に分岐する円弧レール３１１ｂ，３１２ｂとにより構成している。
【００４３】
これに対し、本実施形態の支持機構７０は、図９に示すように、摺動レール部３１１，３１２を、直進レール３１１ａ，３１２ａと、円弧レール３１１ｃ，３１２ｃとにより構成している。円弧レール３１１ｃ，３１２ｃは、直進レール３１１ａ，３１２ａのホルダ３２の引き出し端（図の右端）から上方に円弧状に延びて形成される。なお、図では、説明の便宜上、摺動レール部３１２の反対側の摺動レール部３１１の直進レール３１１ａ及び円弧レール３１１ｃの図示、並びに摺動レール部３１１を摺動する支持軸３３，３４の図示は省略している。
【００４４】
図９（ａ）に示すホルダ３２の引き出し状態では、ホルダ３２に設けた凸部７２０ａがベースプレート３１に形成した穴７１１に弾性的に係脱可能に係合することで、クリックストップ感を得ることができる。
【００４５】
そして、図９（ｂ）に示すように、ホルダ３２を上方に回動させると、支持軸３６を中心として、支持軸３５が円弧レール３１２ｃの端まで移動する。この回動状態では、ホルダ３２に設けた凸部７２０ａがベースプレート３１に形成した穴７１２に弾性的に係脱可能に係合することで、クリックストップ感を得ることができる。
【００４６】
本実施形態では、摺動レール部３１１，３１２と穴７１１，７１２を最適な位置に配置することができ、支持機構７０の更なる小型化を実現できる。その他の構成、及び作用効果は、上記第１の実施形態と同様である。
【００４７】
（第３の実施形態）
次に、図１０を参照して、本発明の撮像装置の第３の実施形態であるデジタルビデオカメラについて説明する。なお、本実施形態では、上記第１の実施形態と支持機構が相違するだけであるため、上記第１の実施形態に対して重複又は相当する部分については図に同一符号を付して支持機構についてのみ説明する。図１０（ａ）は、支持機構８０のベースプレート３１からホルダ３２を引き出した状態を示す図である。図１０（ｂ）は、ホルダ３２を回動させた状態を示す図である。
【００４８】
本実施形態の支持機構８０は、上記第１の実施形態の支持機構３０と同様に、ベースプレート３１に形成した摺動レール部３１１，３１２を、直進レール３１１ａ，３１２ａと円弧レール３１１ｂ，３１２ｂとにより構成している。
【００４９】
但し、直進レール３１１ａ，３１２ａの途中から分岐する円弧レール３１１ｂ，３１２ｂは、直進レール３１１ａ，３１２ａに比べてレール幅が狭く形成され、これに応じて支持軸３４，３６も支持軸３３，３５に比べて小径とされている。なお、図では、説明の便宜上、摺動レール部３１２の反対側の摺動レール部３１１の直進レール３１１ａ及び円弧レール３１１ｂの図示、並びに摺動レール部３１１を摺動する支持軸３３，３４の図示は省略している。
【００５０】
図１０（ａ）に示すホルダ３２の引き出し状態では、上記第１の実施形態と同様に、ベースプレート３１の底壁面部に設けられた板ばね部３１０によって、ホルダ３２は、上方に付勢されている。このため、支持軸３５，３６は、直進レール３１２ａに沿って摺動する。図１０（ｂ）に示すように、ホルダ３２の回動動作の際に、支持軸３６は、円弧レール３１２ｂに沿って端部まで移動する。
【００５１】
本実施形態では、支持軸３５の径は、円弧レール３１２ｂのレール幅よりも大きくなっている。このため、ホルダ３２の引き出し時に、支持軸３５が円弧レール３１２ｂに落ち込むことがなく、下方に力を加えられながらビューファインダ４０が引き出された場合でも、確実に直進レール３１２ａに沿って水平方向に摺動可能となる。その他の構成、及び作用効果は、上記第１の実施形態と同様である。
【００５２】
（第４の実施形態）
次に、図１１を参照して、本発明の撮像装置の第４の実施形態であるデジタルビデオカメラについて説明する。なお、本実施形態では、上記第１の実施形態と支持機構が相違するだけであるため、上記第１の実施形態に対して重複又は相当する部分については図に同一符号を付して支持機構についてのみ説明する。図１１（ａ）は、支持機構９０のベースプレート３１からホルダ３２を引き出した状態を示す図である。図１１（ｂ）は、ホルダ３２を回動させた状態を示す図である。
【００５３】
上記第１の実施形態では、直進レール３１１ａ，３１２ａに対してそれぞれ一方向のみに円弧レール３１１ｂ，３１２ｂを形成している。これに対し、本実施形態の支持機構９０では、図１１（ａ）に示すように、ベースプレート３１に形成した摺動レール部３１１，３１２を、直進レール３１１ａ，３１２ａ、円弧レール３１１ｂ，３１２ｂ、及び円弧レール３１１ｃ，３１２ｃにより構成している。
【００５４】
円弧レール３１１ｂ，３１２ｂは、上記第１の実施形態と同様に、直進レール３１１ａ，３１２ａの途中で下方に円弧状に分岐して形成される。一方、円弧レール３１１ｃ，３１２ｃは、上記第２の実施形態と同様に、直進レール３１１ａ，３１２ａのホルダ３２の引き出し端から上方に円弧状に延びて形成される。
【００５５】
また、ホルダ３２には、摺動レール部３１２側に支持軸３５，３７ａ，３６が加締められ、摺動レール部３１１側に支持軸３３，３７ｂ，３４が加締められている。支持軸３７ａは、支持軸３５と支持軸３６との間に配置され、支持軸３７ｂは、支持軸３３と支持軸３４との間に配置される。なお、図では、説明の便宜上、摺動レール部３１２の反対側の摺動レール部３１１の直進レール３１１ａ及び円弧レール３１１ｂ，３１１ｃの図示、並びに摺動レール部３１１を摺動する支持軸３３，３７ｂ，３４の図示は省略している。
【００５６】
そして、図１１（ｂ）に示すように、ホルダ３２が回動する際には、支持軸３７ａ（３７ｂ）を中心として支持軸３６（３４）が円弧レール３１２ｂ（３１１ｂ）に沿って移動すると共に、支持軸３５（３３）が円弧レール３１２ｃ（３１１ｃ）に沿って移動する。
【００５７】
本実施形態では、支持軸を３対設けているため、ホルダ３２の引き出し動作時の上下のガタを更に抑えることが可能となる。その他の構成、及び作用効果は、上記第１の実施形態と同様である。
【００５８】
（第５の実施形態）
次に、図１２及び図１３を参照して、本発明の撮像装置の第５の実施形態であるデジタルビデオカメラについて説明する。なお、本実施形態では、上記第１の実施形態と支持機構が相違するだけであるため、上記第１の実施形態に対して重複又は相当する部分については図に同一符号を付して支持機構についてのみ説明する。
【００５９】
図１２（ａ）は、支持機構１００の斜視図である。図１２（ｂ）は、ホルダ３２の斜視図である。
【００６０】
図１２に示すように、本実施形態の支持機構１００は、ホルダ３２の引き出し方向の後端部に斜め上方に向けて傾斜する傾斜壁３３０が設けられている。傾斜壁３３０の幅方向中央部には、先端側に絞り形状部３３２が形成され、基端側に絞り形状部３３１が形成されている。
【００６１】
絞り形状部３３２及び絞り形状部３３１は、共に裏面から表面側に絞られる形状をなしており、絞り形状部３３２の裏面には、凹部３３２ａが形成され、絞り形状部３３１の裏面側には、凹部３３１ａが形成されている。凹部３３１ａ及び凹部３３２ａにそれぞれベースプレート３１の突出部３１０ａが弾性的に係脱可能に係合することで、ホルダ３２の引き出し状態と回転状態におけるクリックストップ感を得ることができる。
【００６２】
図１３（ａ）は、ベースプレート３１にホルダ３２が収納された状態（以下、ホルダ３２の収納状態という。）を示す図である。図１３（ｂ）は、ベースプレート３１からホルダ３２が引き出された状態（以下、ホルダ３２の引き出し状態という。）を示す図である。図１３（ｃ）は、ベースプレート３１に対してホルダ３２が上方に回動した状態（以下、ホルダ３２の回動状態という。）を示す図である。
【００６３】
なお、図１３は、それぞれ図１２（ａ）の中心線Ａに沿う断面図であり、図中右方向がホルダ３２の引き出し方向となる。また、図１３では、説明の便宜上、摺動レール部３１１の反対側の摺動レール部３１２の直進レール３１２ａ及び円弧レール３１２ｂの図示、並びに摺動レール部３１２を摺動する支持軸３５，３６の図示は省略している。
【００６４】
図１３に示すように、ホルダ３２の収納状態から引き出し状態までは、ホルダ３２は、ベースプレート３１の摺動レール部３１１の直進レール３１１ａに沿って引き出し端まで移動する。引き出し状態では、支持軸３３は、直進レール３１１ａの端部に位置し、支持軸３４は、円弧レール３１２ｂへと続く分岐点に位置している。
【００６５】
そして、ホルダ３２の収納状態では、図１３（ａ）に示すように、ベースプレート３１の突出部３１０ａにホルダ３２の穴３２０が弾性的に係脱可能に係合することにより、クリックストップ感を得ることができる。ここで、穴３２０は、本発明の第１被係合部の一例に相当する。
【００６６】
ホルダ３２の引き出し状態では、図１３（ｂ）に示すように、ベースプレート３１の突出部３１０ａにホルダ３２の絞り形状部３３１の凹部３３１ａが弾性的に係脱可能に係合することで、クリックストップ感を得ることができる。ホルダ３２の引き出し状態から回動状態までは、支持軸３３を中心として、支持軸３４がベースプレート３１の円弧レール３１１ｂに沿って端部まで移動する。ここで、凹部３３１ａは、本発明の第２被係合部の一例に相当する。
【００６７】
ホルダ３２の回動状態では、図１３（ｃ）に示すように、ベースプレート３１の突出部３１０ａにホルダ３２の絞り形状部３３２の凹部３３２ａが弾性的に係脱可能に係合することで、クリックストップ感を得ることができる。ここで、凹部３３２ａは、本発明の第３被係合部の一例に相当する。
【００６８】
このように、本実施形態では、ベースプレート３１の突出部３１０ａをホルダ３２に形成した穴３２０、凹部３３１ａ、及び凹部３３２ａに順次係合させることで、ホルダ３２の収納時、引き出し時、及び回動時にクリックストップ感を得ることができる。このため、ホルダ３２の収納時、引き出し時、及び回動時にクリップストップ感を得るための構造をより簡略化することができる。その他の構成、及び作用効果は、上記第１の実施形態と同様である。
【００６９】
なお、本発明の構成は、上記各実施形態に例示したものに限定されるものではなく、材質、形状、寸法、形態、数、配置箇所等は、本発明の要旨を逸脱しない範囲において適宜変更可能である。
【００７０】
例えば、上記各実施形態では、支持軸が２対又は３対の場合を例示したが、これに限定されず、４以上の対の支持軸であってもよい。
【００７１】
また、上記各実施形態では、ベースプレート３１とホルダ３２との連結を支持軸を加締めることで行っているが、これに限定されず、例えばビスや接着剤等で連結してもよい。
【００７２】
また、上記各実施形態では、カメラ本体１の上部に接続するアクセサリ類をハンドルとしているが、ビデオライトや外部マイクなどであってもよい。
【符号の説明】
【００７３】
１  カメラ本体
２  ハンドル
３  ビューファインダユニット
３０  支持機構
３１  ベースプレート
３２  ホルダ
３３〜３６  支持軸
４０  ビューファインダ
３１１ａ，３１２ａ  直進レール
３１１ｂ，３１２ｂ  円弧レール
【図１】
2014202811.tif 000003
【図２】
2014202811.tif 000004
【図３】
2014202811.tif 000005
【図４】
2014202811.tif 000006
【図５】
2014202811.tif 000007
【図６】
2014202811.tif 000008
【図７】
2014202811.tif 000009
【図８】
2014202811.tif 000010
【図９】
2014202811.tif 000011
【図１０】
2014202811.tif 000012
【図１１】
2014202811.tif 000013
【図１２】
2014202811.tif 000014
【図１３】
2014202811.tif 000015
【図１４】
2014202811.tif 000016
【図１５】
2014202811.tif 000017